【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
無線通信ネットワークにおいてルーティングする方法であって、
前記無線通信ネットワークにおける所定のノードは、
前記無線通信ネットワークにおける隣接ノードを発見するステップと、
第２の通信ネットワークと前記無線通信ネットワークとの間のインターフェースを構成する少なくとも１つのアクセスポイントを発見するステップと、
前記発見されたアクセスポイントに登録するステップと、
前記発見されたアクセスポイントと通信するために次ホップ・ノードとして、前記発見された隣接ノードのうちの複数のノードを選択するステップと、
前記発見された隣接ノードの少なくとも１つからルーティング情報を受信するステップと、
第１のルートと前記無線通信ネットワークにおいて指定された宛先ノードへの少なくとも１つの別のルートとを含むルーティング・テーブルを前記発見された隣接ノードから受信される前記ルーティング情報から構成するステップと、
前記所定のノードに前記ルーティング・テーブルを格納するステップと
を含む処理を実施し、
前記格納するステップの後に、前記所定のノードは、
前記無線通信ネットワークにおいて指定された宛先ノードに転送されるべきパケットを受信するステップと、
前記受信した受信パケットを前記指定された宛先ノードへ転送するために、前記パケットの受信に際して、前記ルーティング・テーブルに格納された複数のルートの中からルートを選択するステップと、
前記選択されたルートにおける前記次ホップへ前記パケットを転送するステップと
を含む処理を実施することを特徴とする方法。
【請求項２】
前記ルーティング・テーブルは、
前記無線通信ネットワークにおける所定の宛先ノードへの別のルートの好適な順序を指定する優先順位情報
を更に含むことを特徴とする請求項１記載の方法。
【請求項３】
前記受信パケットを転送するための前記次ホップの選択は、別のルートの好適な順序を指定する前記優先順位情報に従って行なわれる
ことを特徴とする請求項２記載の方法。
【請求項４】
前記無線通信ネットワークの転送ノードにおいて、前記無線通信ネットワークの宛先ノードに対応する宛先アドレスと、前記宛先ノードへの少なくとも部分的なルートとを含むパケットを受信するステップと、
前記優先順位情報に基づいて、前記受信パケットを前記宛先アドレスに送信するための好適なルートが存在するか否かを判定し、前記好適なルートが存在すると判定された場合に前記パケットに含まれる前記受信したルートを前記好適なルートに置換するステップと、
前記パケットに含まれる前記ルートに従って前記無線通信ネットワークにおける別のノードに前記パケットを転送するステップと
を更に含むことを特徴とする請求項３記載の方法。
【請求項５】
前記受信したパケットに含まれる前記ルートは、アクセスポイントから始まる
ことを特徴とする請求項４記載の方法。
【請求項６】
前記ルートは、
前記アクセスポイントと前記宛先ノードとの間で前記パケットが通過する前記ノードを指定する完全なルートである
ことを特徴とする請求項５記載の方法。
【請求項７】
前記無線通信ネットワークにおける少なくとも１つの他のノードに前記パケットを転送する際に使用される前記ルートを送信するステップ
を更に含むことを特徴とする請求項４記載の方法。
【請求項８】
前記無線通信ネットワークにおける少なくとも１つの他のノードに前記パケットを転送する際に使用される前記ルートを送信するステップは、前記好適なルートが存在すると判定された場合に実行される
ことを特徴とする請求項７記載の方法。
【請求項９】
前記ルートとともに送信される情報は、
前記送信されたルートに関連付けられる前記優先順位情報の値又は前記送信されたルートのパス・コストの少なくとも一方を含む
ことを特徴とする請求項７記載の方法。
【請求項１０】
前記無線通信ネットワークにおける少なくとも１つの他のノードに対して、前記無線通信ネットワークにおける所定の宛先ノードへの別のルートの好適な順序付けを指定する優先順位情報を含むルーティング・テーブル情報を転送するステップ
を更に含むことを特徴とする請求項２記載の方法。
【請求項１１】
隣接ノードの発見は、
前記無線通信ネットワークにおける前記ノードに少なくとも１つの発見フレームをブロードキャストすること
を含むことを特徴とする請求項１記載の方法。
【請求項１２】
前記ブロードキャストされた発見フレームの応答に含まれ、前記無線通信ネットワークにおける少なくとも１つの出口ノードに関する情報を含むネットワーク出口アドバタイズメント・メッセージを受信するステップ
を更に含むことを特徴とする請求項１１記載の方法。
【請求項１３】
前記発見された隣接ノードから受信された前記出口ノードに関する情報に基づいて、前記発見された隣接ノードの中から転送ノードの優先度リストを計算するステップと、
送出ノードの前記計算された優先度リストに基づいて、前記出口ノードへパケットを転送するために前記発見された隣接ノードの中から少なくとも１つの転送ノードを選択するステップと
を更に含むことを特徴とする請求項１２記載の方法。
【請求項１４】
ノードのキープ・アライブ・メッセージに応答して、受信されたルーティング更新メッセージと新たなルーティング・アドバタイズメント・メッセージとを介して前記無線通信ネットワークにおける少なくとも１つの出口ノードに関する情報を受信するステップ
を更に含むことを特徴とする請求項１２記載の方法。
【請求項１５】
前記ルートに関連付けられる前記優先順位情報の値は、
前記関連付けられたルートの前記パス・コストに基づいている
ことを特徴とする請求項２記載の方法。
【請求項１６】
前記パス・コストは、
リンク品質、リンク信頼度、前記パス・コストと関連付けられる前記ルートの少なくとも１区間におけるパケット送信の成功率、のうち少なくとも１つに基づいている
ことを特徴とする請求項１５記載の方法。
【請求項１７】
前記パス・コストは、
対応する隣接ノードを使用した前記アクセスポイントへのルートの１区間におけるノード間の少なくとも１つのホップに対するリンク・コストを含む
ことを特徴とする請求項１５記載の方法。
【請求項１８】
前記パス・コストは、
ホップ・カウントとは独立している
ことを特徴とする請求項１５記載の方法。
【請求項１９】
前記無線通信ネットワークにおいて前記アクセスポイントへのルートの１区間に配置される少なくとも１つの中間ノードに登録するステップ
を更に含むことを特徴とする請求項１記載の方法。
【請求項２０】
前記無線通信ネットワークにおけるノードから登録メッセージを受信するステップと、
出口ルート情報を受信するためのノードリストに前記ノードを登録する登録ステップと
を更に含むことを特徴とする請求項１記載の方法。
【請求項２１】
無線ローカル・エリア・ネットワーク・システムであって、
無線ローカル・エリア・ネットワークの一部に設けられる複数のノードと、
第２のネットワークと通信するとともに、前記第２のネットワークと前記無線ローカル・エリア・ネットワークとの間のインターフェースを構成するアクセスポイントであって、前記無線ローカル・エリア・ネットワークにおける少なくとも１つの前記ノードと通信する少なくとも１つのアクセスポイントと、
前記第２のネットワークと通信するとともに、前記無線ローカル・エリア・ネットワークにおけるアクセスポイントを介して前記複数のノードの少なくとも１つと通信する少なくとも１つのバック・オフィス・システムと
を具備し、
少なくとも１つの前記ノードは、
前記無線ローカル・エリア・ネットワークにおける隣接ノードを発見する手段と、
前記第２のネットワークと前記無線ローカル・エリア・ネットワークとの間のインターフェースを構成する少なくとも１つのアクセスポイントを発見する手段と、
前記発見されたアクセスポイントに登録する手段と、
前記発見されたアクセスポイントに通信するために次ホップのユーティリティ・ノードとして、前記発見された隣接ノードの中から複数のノードを選択する手段と、
前記発見された隣接ノードの少なくとも１つからルーティング情報を受信するステップと、
第１のパスと前記無線ローカル・エリア・ネットワークにおける所定の宛先ノードへの少なくとも１つの別のパスとを含むルーティング・テーブルを前記発見された隣接ノードから受信された前記ルーティング情報から構成する手段と、
前記ノードに前記ルーティング・テーブルを格納する手段と、
前記ルーティング・テーブルを格納した後に、前記無線通信ネットワークにおいて指定された宛先ノードに転送されるべきパケットを受信する手段と、
前記パケットの受信に際して、前記ルーティング・テーブルに格納された複数のルートの中からルートを選択する手段と、
前記選択されたルートにおける前記次ホップへ前記パケットを転送する手段と
を具備することを特徴とするシステム。
【請求項２２】
前記ネットワークは、ユーティリティ・ネットワークであり、
前記ノード各々は、測定されたコモディティに関する情報を送信する
ことを特徴とする請求項２１記載のシステム。
【請求項２３】
前記ノードは、
前記無線ローカル・エリア・ネットワークにおける出口ポイントを構成する少なくとも１つのアクセスポイントに登録する際に、自身のネットワークアドレスとプレフィックスとを受信する
ことを特徴とする請求項２１記載のシステム。
【請求項２４】
前記ノードのネットワークアドレスは、
ＩＰｖ４アドレス又はＩＰｖ６アドレスのいずれかである
ことを特徴とする請求項２３記載のシステム。
【請求項２５】
前記無線ローカル・エリア・ネットワークは、
前記無線ローカル・エリア・ネットワークにおける前記ノードとアクセスポイントとの間でパケットを通信するために周波数ホッピング方式のプロトコルを利用する
ことを特徴とする請求項２１記載のシステム。